(57)【要約】【課題】被押圧部材に対する押圧の位置に関わらず接点スイッチを正常に押圧すること。【解決手段】携帯端末は、スイッチアセンブリと、スイッチアセンブリを収容する筐体とを備える。スイッチアセンブリは、基材と、基材に固定される接点スイッチと、弾性カバーとを備える。弾性カバーは、接点スイッチの周囲を囲むように基材に取り付けられた筒状部と、筒状部の接点スイッチの周囲と対向する内面から延出する可撓性の面状部と、筒状部の内面に沿って面状部から立ち上がる立ち上がり部とを有する。また、弾性カバーは、立ち上がり部の先端に設けられ、接点スイッチと、接点スイッチを押下するための被押圧部材とを対向させた状態で被押圧部材を支持する板状部を有する。また、弾性カバーは、立ち上がり部から筒状部の内面に向けて突出し、被押圧部材の接点スイッチの方向への移動に連動して面状部が立ち上がり部の方向へ弾性的に撓む場合に、面状部に当接する突起部を有する。【選択図】図３
2016042415.tif 000002
【特許請求の範囲】
【請求項１】
基材と、前記基材に固定される接点スイッチと、前記接点スイッチの周囲を囲むように前記基材に取り付けられた筒状部、前記筒状部の前記接点スイッチの周囲と対向する内面から延出する可撓性の面状部、前記筒状部の前記内面に沿って前記面状部から立ち上がる立ち上がり部、前記立ち上がり部の先端に設けられ、前記接点スイッチと、押圧力を受ける被押圧部材とを対向させた状態で前記被押圧部材を支持する板状部、および前記立ち上がり部から前記筒状部の前記内面に向けて突出し、前記被押圧部材の前記接点スイッチの方向への移動に連動して前記面状部が前記立ち上がり部の方向へ弾性的に撓む場合に、前記面状部に当接する突起部を有する弾性カバーとを備えたスイッチアセンブリと、
前記スイッチアセンブリを収容する筐体と
を備えたことを特徴とする携帯端末。
【請求項２】
前記突起部の前記面状部から最も離れた部分と、前記面状部との距離は、前記接点スイッチが前記被押圧部材によって押下される場合に、前記接点スイッチの前記被押圧部材によって押下される部分が移動する距離の最大値であるスイッチストロークに等しいことを特徴とする請求項１に記載の携帯端末。
【請求項３】
前記突起部の前記面状部に当接する部分に、前記筒状部の前記内面に近づくほど前記面状部との距離が拡がる第１の斜面が形成されたことを特徴とする請求項１又は２に記載の携帯端末。
【請求項４】
前記立ち上がり部を基準とした前記第１の斜面の角度は、前記スイッチストロークと、前記立ち上がり部からの前記突起部の突出量とに基づいて、決定されることを特徴とする請求項３に記載の携帯端末。
【請求項５】
前記突起部は、前記立ち上がり部から前記筒状部の前記内面に向けて前記筐体の一部に近接するように突出し、
前記突起部の前記筐体の一部に近接する部分に、前記面状部から離れるほど前記筐体の一部との距離が拡がる第２の斜面が形成されたことを特徴とする請求項１〜４のいずれか一つに記載の携帯端末。
【請求項６】
前記立ち上がり部は、前記面状部から前記筒状部の前記内面に沿って矩形枠状に立ち上がり、
複数の前記突起部が、前記立ち上がり部の長辺のうち該長辺の中心よりも該長辺の端部に近い位置から前記筒状部の前記内面に向けて突出することを特徴とする請求項１〜５のいずれか一つに記載の携帯端末。
【請求項７】
基材と、
前記基材に固定される接点スイッチと、
前記接点スイッチの周囲を囲むように前記基材に取り付けられた筒状部、前記筒状部の前記接点スイッチの周囲と対向する内面から延出する可撓性の面状部、前記面状部から前記筒状部の前記内面に沿って立ち上がる立ち上がり部、前記立ち上がり部の先端に設けられ、前記接点スイッチと、押圧力を受ける被押圧部材とを対向させた状態で前記被押圧部材を支持する板状部、および前記立ち上がり部から前記筒状部の前記内面に向けて突出し、前記被押圧部材の前記接点スイッチの方向への移動に連動して前記面状部が前記立ち上がり部の方向へ弾性的に撓む場合に、前記面状部に当接する突起部を有する弾性カバーと
を備えたことを特徴とするスイッチアセンブリ。
【発明の詳細な説明】
【技術分野】
【０００１】
本発明は、携帯端末およびスイッチアセンブリに関する。
【背景技術】
【０００２】
従来、タブレット端末などの携帯端末では、押圧力を受ける被押圧部材が設けられており、ユーザが被押圧部材を押圧したり、スワイプしたりすることによって各種操作が行われる。被押圧部材としては、入力インタフェースである各種のキーや、指紋センサ等がある。被押圧部材に対する押圧によって各種操作を行う構造としては、例えば、接点スイッチを用いたキー構造が知られている。
【０００３】
接点スイッチを用いたキー構造は、プリント基板等の基材上に固定された接点スイッチと、接点スイッチの周囲を囲むように基材に取り付けられ、接点スイッチと対向させた状態でキートップを支持する弾性カバーとによって構成される。キートップの接点スイッチ側の面には押し子が形成される。ユーザがキートップを押圧すると、押圧力によって弾性カバーが撓み、キートップの押し子が接点スイッチの方向へ移動して接点スイッチを押下する。
【０００４】
なお、接点スイッチとしては、例えば、導電材料をドーム状に形成したドームスイッチが知られている。
【先行技術文献】
【特許文献】
【０００５】
【特許文献１】実開平５−６５８７号公報
【特許文献２】特開平７−２６２８７２号公報
【特許文献３】特開２０００−３１５４４４号公報
【発明の概要】
【発明が解決しようとする課題】
【０００６】
しかしながら、上述した従来のキー構造では、被押圧部材に対する押圧の位置に依っては接点スイッチを正常に押下することが困難であるという問題がある。
【０００７】
すなわち、従来のキー構造では、ユーザによって被押圧部材であるキートップの縁の位置が押圧された場合、弾性カバーの撓みによってキートップが水平方向から傾くため、キートップの接点スイッチの方向への移動が妨げられる。キートップの接点スイッチの方向への移動が妨げられると、キートップの位置が接点スイッチの位置に対して相対的にずれ、結果として、キートップの押し子が接点スイッチを正常に押下することが困難となる恐れがある。このような問題は、被押圧部材として指紋センサが用いられる場合にも同様に起こり得る。
【０００８】
開示の技術は、上記に鑑みてなされたものであって、被押圧部材に対する押圧の位置に関わらず接点スイッチを正常に押圧することができる携帯端末およびスイッチアセンブリを提供することを目的とする。
【課題を解決するための手段】
【０００９】
本願の開示する携帯端末は、一つの態様において、スイッチアセンブリと、前記スイッチアセンブリを収容する筐体とを備える。スイッチアセンブリは、基材と、前記基材に固定される接点スイッチと、弾性カバーとを備える。弾性カバーは、前記接点スイッチの周囲を囲むように前記基材に取り付けられた筒状部と、前記筒状部の前記接点スイッチの周囲と対向する内面から延出する可撓性の面状部と、前記筒状部の前記内面に沿って前記面状部から立ち上がる立ち上がり部とを有する。また、弾性カバーは、前記立ち上がり部の先端に設けられ、前記接点スイッチと、前記接点スイッチを押下するための被押圧部材とを対向させた状態で前記被押圧部材を支持する板状部を有する。また、弾性カバーは、前記立ち上がり部から前記筒状部の前記内面に向けて突出し、前記被押圧部材の前記接点スイッチの方向への移動に連動して前記面状部が前記立ち上がり部の方向へ弾性的に撓む場合に、前記面状部に当接する突起部を有する。
【発明の効果】
【００１０】
本願の開示する携帯端末の一つの態様によれば、被押圧部材に対する押圧の位置に関わらず接点スイッチを正常に押圧することができるという効果を奏する。
【図面の簡単な説明】
【００１１】
【図１】図１は、本実施例のタブレット端末の外観を示す斜視図である。
【図２】図２は、本実施例のタブレット端末の分解斜視図である。
【図３】図３は、スイッチアセンブリの分解斜視図である。
【図４】図４は、スイッチアセンブリの弾性カバーの斜視図である。
【図５】図５は、スイッチアセンブリと内側ケースの環状突起との嵌合状態を示す断面図である。
【図６】図６は、立ち上がり部を基準とした第１の斜面の角度を説明するための図である。
【図７】図７は、指紋センサがユーザの指でスワイプされることによって指紋センサの縁に押圧力が加えられた場合の、比較例の弾性カバーの挙動を示す図である。
【図８】図８は、指紋センサがユーザの指でスワイプされることによって指紋センサの縁に押圧力が加えられた場合の、実施例の弾性カバーの挙動を示す図である。
【図９】図９は、指紋センサの中央がユーザの指で押圧されることによって指紋センサの中央に押圧力が加えられた場合の弾性カバーの挙動を示す図である。
【図１０】図１０は、指紋センサの縁がユーザの指で押圧されることによって指紋センサの縁に押圧力が加えられた場合の弾性カバーの挙動を示す図である。
【発明を実施するための形態】
【００１２】
以下に、本願の開示する携帯端末およびスイッチアセンブリの実施例を図面に基づいて詳細に説明する。なお、この実施例により開示技術が限定されるものではない。例えば、以下の実施例では、携帯端末の一例としてタブレット端末を一例に挙げて説明するが、これに限らず、接点スイッチ及び接点スイッチを押下するための被押圧部材を備えた携帯端末であれば如何なる携帯端末であってもよい。
【実施例】
【００１３】
図１は、本実施例のタブレット端末の外観を示す斜視図である。図２は、本実施例のタブレット端末の分解斜視図である。図１及び図２に示すように、本実施例のタブレット端末１００は、外側ケース１１０と、内側ケース１３０と、表示部１５０と、スイッチアセンブリ１７０とを有する。
【００１４】
外側ケース１１０は、例えば、一面が開口された箱状に形成されている。
【００１５】
内側ケース１３０は、外側ケース１１０の開口に対応する枠状に形成された天板１３１を有する。天板１３１には、外側ケース１１０と重合される外壁１３２が設けられる。内側ケース１３０は、外壁１３２の先端と、外側ケース１１０の底面と間にパッキン１１１が介挿された状態で、外側ケース１１０に組み合わされる。また、天板１３１には、外壁１３２により囲まれる空間を２つの空間に隔てる内壁１３３が設けられる。外壁１３２により囲まれる空間は、内壁１３３によって、内壁１３３の内側の空間と、内壁１３３と外壁１３２とで挟まれる空間とに隔てられる。また、内壁１３３には、内壁１３３の内側の空間を内側ケース１３０の厚み方向に沿った２つの空間に隔てる隔壁１３４が設けられる。隔壁１３４によって、内壁１３３の内側の空間は、各種の部品を収容するための表側の空間と裏側の空間とに隔てられる。隔壁１３４の表側の空間には、表示部１５０が収容される。隔壁１３４の裏側の空間には、各種の電子部品や回路が実装される基板１３５が収容される。また、隔壁１３４の中央には、開口が設けられ、隔壁１３４の開口には、電池パック１３６が取り付けられる。また、内壁１３３と外壁１３２とで挟まれる空間には、スイッチアセンブリ１７０が収容される。具体的には、内側ケース１３０は、天板１３１に穿たれた開口部１３７と、開口部１３７の周囲から内壁１３３と外壁１３２とで挟まれる空間へ突出する環状突起１３８とを有する。そして、スイッチアセンブリ１７０は、後述する指紋センサが開口部１３７から露出された状態で、内側ケース１３０の環状突起１３８に嵌合される。スイッチアセンブリ１７０と内側ケース１３０の環状突起１３８との嵌合状態については、後に詳細に説明する。内側ケース１３０は、「筐体」の一例に相当する。
【００１６】
表示部１５０は、ＬＣＤ（Liquid  Crystal  Display）モジュール等の表示モジュール１５１と、タッチパネル１５２とを貼り合せることにより形成される。表示モジュール１５１は、隔壁１３４の表側の空間に収容され、タッチパネル１５２は、両面テープを介して内側ケース１３０の天板１３１上に取り付けられる。また、タッチパネル１５２の開口部１３７と対向する縁部には、開口部１３７を避ける形状に形成された切欠き部１５２ａが設けられる。
【００１７】
スイッチアセンブリ１７０は、接点スイッチおよび接点スイッチを押下するための被押圧部材等を組み合わせることで得られるアセンブリである。
【００１８】
ここで、図３〜図５を参照して、スイッチアセンブリ１７０の構造、並びに、スイッチアセンブリ１７０と内側ケース１３０の環状突起１３８との嵌合状態を詳細に説明する。図３は、スイッチアセンブリの分解斜視図である。図４は、スイッチアセンブリの弾性カバーの斜視図である。図５は、スイッチアセンブリと内側ケースの環状突起との嵌合状態を示す断面図である。
【００１９】
図３に示すように、スイッチアセンブリ１７０は、ホルダ２１０、ドームスイッチ２２０、指紋センサ２３０、押し子２４０および弾性カバー２５０を有する。
【００２０】
ホルダ２１０は、各種の部品を固定するための基材であり、スイッチアセンブリ１７０と内側ケース１３０の環状突起１３８とが嵌合された状態で、内側ケース１３０に固定される。ホルダ２１０には、弾性カバー２５０が取り付けられる環状の台座２１１が設けられる。台座２１１に囲まれる領域には、フレキケーブル２１２が設けられる。フレキケーブル２１２は、台座２１１に囲まれる領域に形成される孔を介してホルダ２１０の裏面に折り返され、ホルダ２１０に沿って延伸され、ホルダ２１０によって中間部分が固定され、基板１３５に接続される。
【００２１】
ドームスイッチ２２０は、導電材料をドーム状に形成した接点スイッチである。ドームスイッチ２２０は、ホルダ２１０に固定される。具体的には、ドームスイッチ２２０は、ドームスイッチ２２０とホルダ２１０との間にフレキケーブル２１２が介挿された状態で、ホルダ２１０の台座２１１に囲まれる領域に固定される。また、ドームスイッチ２２０は、ホルダ２１０に固定された状態で弾性カバー２５０によって覆われる。
【００２２】
指紋センサ２３０は、指紋を読み取るセンサである。指紋センサ２３０は、弾性カバー２５０によってドームスイッチ２２０が覆われた状態で、弾性カバー２５０によって支持される。指紋センサ２３０の、指を置く面とは反対側の面には、弾性カバー２５０を貫通する押し子２４０が貼り付けられる。ユーザが指紋センサ２３０を押圧したり、スワイプしたりすると、指紋センサ２３０が受ける押圧力によって弾性カバー２５０が弾性的に撓み、押し子２４０がドームスイッチ２２０の方向へ移動してドームスイッチ２２０を押下する。指紋センサ２３０及び押し子２４０は、「被押圧部材」の一例である。
【００２３】
弾性カバー２５０は、指紋センサ２３０を支持しつつ、ドームスイッチ２２０を覆う弾性部材である。弾性カバー２５０は、図４及び図５に示すように、ドームスイッチ２２０の周囲を囲むようにホルダ２１０に取り付けられた筒状部２５１を有する。筒状部２５１には、断面視でＬ字型の板金２５１ａが埋め込まれる。筒状部２５１は、筒状部２５１の底部から露出される板金２５１ａの一部と、ホルダ２１０の台座２１１とが両面テープを介して貼り合わされることによって、ホルダ２１０に取り付けられる。そして、筒状部２５１は、スイッチアセンブリ１７０と内側ケース１３０の環状突起１３８とが嵌合された状態で、内側ケース１３０の環状突起１３８に弾性的に押し当てられる。このように、筒状部２５１が内側ケース１３０の環状突起１３８に弾性的に押し当てられることにより、スイッチアセンブリ１７０と内側ケース１３０の環状突起１３８との隙間が筒状部２５１によって封止される。
【００２４】
また、弾性カバー２５０は、図４及び図５に示すように、筒状部２５１のドームスイッチ２２０の周囲と対向する内面から延出する可撓性の面状部２５２を有する。面状部２５２の縁部は、ドームスイッチ２２０の周囲に対応する位置において矩形状の開口を形成する。言い換えると、面状部２５２は、矩形状の開口を形成する面状部２５２の縁部を自由端とし、筒状部２５１の内面に配置された面状部２５２の基端部を固定端とする片持ち梁が形成されるように、筒状部２５１の内面から延出する。
【００２５】
また、弾性カバー２５０は、図４及び図５に示すように、筒状部２５１の内面に沿って面状部２５２から立ち上がる立ち上がり部２５３を有する。具体的には、立ち上がり部２５３は、面状部２５２から筒状部２５１の内面に沿って矩形枠状に立ち上がる。これにより、立ち上がり部２５３は、筒状部２５１の内面と対向する外面を有する矩形枠を形成する。
【００２６】
また、弾性カバー２５０は、図４及び図５に示すように、立ち上がり部２５３の先端に板状部２５４を有する。板状部２５４には、中央が開口された板金２５４ａが埋め込まれ、板金２５４ａの上面は、板状部２５４から露出される。板金２５４ａの上面には、両面テープ２５４ｂが貼り付けられる。そして、板状部２５４は、ドームスイッチ２２０と、被押圧部材である指紋センサ２３０とを対向させた状態で指紋センサ２３０を支持する。具体的には、板状部２５４は、指紋センサ２３０に貼り付けられた押し子２４０を板金２５４ａの開口からドームスイッチ２２０側へ貫通させつつ、両面テープ２５４ｂを介して板金２５４ａの上面において指紋センサ２３０を支持する。指紋センサ２３０に押圧力が加えられると、指紋センサ２３０がドームスイッチ２２０の方向へ移動する。すると、指紋センサ２３０のドームスイッチ２２０の方向への移動に連動して、板状部２５４および立ち上がり部２５３は、ドームスイッチ２２０の方向へ移動し、面状部２５２は、立ち上がり部２５３の方向へ弾性的に撓む。指紋センサ２３０に対する押圧力が解放されると、板状部２５４および立ち上がり部２５３は、ドームスイッチ２２０とは反対の方向へ移動し、面状部２５２は、弾性的に撓む前の形に復元する。
【００２７】
さらに、弾性カバー２５０は、図４及び図５に示すように、立ち上がり部２５３から筒状部２５１の内面に向けて突出する突起部２５５を有する。本実施例では、複数の突起部２５５が、矩形枠を形成する立ち上がり部２５３から筒状部２５１の内面に向けて突出する。例えば、図４に示すように、２つの突起部２５５が矩形枠状の立ち上がり部２５３の長辺から突出する場合を想定する。この場合、２つの突起部２５５は、立ち上がり部２５３の長辺のうち長辺の中心よりも長辺の端部に近い位置から筒状部２５１の内面に向けて突出する。突起部２５５は、指紋センサ２３０のドームスイッチ２２０の方向への移動に連動して面状部２５２が立ち上がり部２５３の方向へ弾性的に撓む場合に、面状部２５２に当接する。突起部２５５が面状部２５２に当接することによって、面状部２５２の立ち上がり部２５３の方向への撓みが抑制される。
【００２８】
突起部２５５の面状部２５２と当接する部分には、筒状部２５１の内面に近づくほど面状部２５２との距離が拡がる第１の斜面２５５ａが形成される。突起部２５５の面状部２５２から最も離れた部分と、面状部２５２との距離は、ドームスイッチ２２０が押し子２４０によって押下される場合に、ドームスイッチ２２０の押し子２４０によって押下される部分が移動する距離の最大値に等しい。以下では、ドームスイッチ２２０の押し子２４０によって押下される部分が移動する距離の最大値を「スイッチストローク」と呼ぶ。立ち上がり部２５３を基準とした第１の斜面２５５ａの角度は、スイッチストロークと、立ち上がり部２５３からの突起部２５５の突出量とに基づいて、決定される。
【００２９】
図６は、立ち上がり部を基準とした第１の斜面の角度を説明するための図である。図６に示すように、突起部２５５の面状部２５２から最も離れた部分と、面状部２５２との距離を「ａ」と定義し、立ち上がり部２５３からの突起部２５５の突出量を「ｈ」と定義する。すると、立ち上がり部２５３を基準とした第１の斜面２５５ａの角度「θ」は、以下の式（１）により表される。
【００３０】
【数１】
2016042415.tif 000003
【００３１】
ここで、上述したように、突起部２５５の面状部２５２から最も離れた部分と、面状部２５２との距離「ａ」は、スイッチストロークに等しい。スイッチストロークを「ｓ」と定義する。すると、立ち上がり部２５３を基準とした第１の斜面２５５ａの角度「θ」は、スイッチストローク「ｓ」と、立ち上がり部２５３からの突起部２５５の突出量「ｈ」とに基づいて、決定される。すなわち、上記の式（１）から以下の式（２）が導出される。
【００３２】
【数２】
2016042415.tif 000004
【００３３】
図４及び図５の説明に戻る。突起部２５５は、立ち上がり部２５３から筒状部２５１の内面に向けて、内側ケース１３０の開口部１３７の縁に近接するように突出する。開口部１３７の縁は、「筐体の一部」の一例である。突起部２５５の、開口部１３７の縁に近接する部分には、面状部２５２から離れるほど開口部１３７の縁との距離が拡がる第２の斜面２５５ｂが形成される。指紋センサ２３０に対する押圧力が解放されることによって、板状部２５４および立ち上がり部２５３が、ドームスイッチ２２０とは反対の方向へ移動する場合に、第２の斜面２５５ｂと開口部１３７の縁とが摺接する。これにより、突起部２５５が開口部１３７の縁に引っ掛かる事態が回避される。
【００３４】
次に、図７及び図８を参照して、指紋センサ２３０がユーザの指でスワイプされることによって指紋センサ２３０の縁に押圧力が加えられた場合の弾性カバー２５０の挙動を説明する。図７は、指紋センサがユーザの指でスワイプされることによって指紋センサの縁に押圧力が加えられた場合の、比較例の弾性カバーの挙動を示す図である。図８は、指紋センサがユーザの指でスワイプされることによって指紋センサの縁に押圧力が加えられた場合の、実施例の弾性カバーの挙動を示す図である。図７に示す比較例の弾性カバー２５０−１は、突起部２５５を有さない点が、図８に示す実施例の弾性カバー２５０とは異なる。
【００３５】
図７に示す弾性カバー２５０−１では、指紋センサ２３０がユーザの指で矢印Ｓ１の方向へスワイプされることで指紋センサ２３０の縁に押圧力Ｐ１が加えられると、面状部２５２が立ち上がり部２５３の方向へ弾性的に撓む。すると、面状部２５２の撓みによって指紋センサ２３０が水平方向から矢印Ｒ１の方向へ傾くため、指紋センサ２３０のドームスイッチ２２０の方向への移動が妨げられる。これにより、指紋センサ２３０の位置がドームスイッチ２２０の位置に対して相対的にずれ、押し子２４０によってドームスイッチ２２０が正常に押下されない。
【００３６】
これに対して、図８に示す弾性カバー２５０では、ユーザの指で矢印Ｓ１の方向へスワイプされることで指紋センサ２３０の縁に押圧力Ｐ１が加えられ、面状部２５２が立ち上がり部２５３の方向へ弾性的に撓む場合に、突起部２５５が面状部２５２に当接する。突起部２５５が面状部２５２に当接することによって、面状部２５２の立ち上がり部２５３の方向への撓みが抑制される。面状部２５２の立ち上がり部２５３の方向への撓みが抑制されることによって、指紋センサ２３０の傾きが抑制される。このため、指紋センサ２３０の位置とドームスイッチ２２０の位置との相対的なずれや、指紋センサ２３０の潜り込みが無くなり、押し子２４０によってドームスイッチ２２０が正常に押下される。さらに、指紋センサ２３０による指紋の読み取り精度の低下が軽減される。
【００３７】
次に、図９を参照して、指紋センサ２３０の中央がユーザの指で押圧されることによって指紋センサ２３０の中央に押圧力が加えられた場合の弾性カバー２５０の挙動を説明する。図９は、指紋センサの中央がユーザの指で押圧されることによって指紋センサの中央に押圧力が加えられた場合の弾性カバーの挙動を示す図である。
【００３８】
図９に示すように、指紋センサ２３０の中央がユーザの指で押圧されることによって指紋センサ２３０の中央に押圧力Ｐ２が加えられると、自由端である面状部２５２の縁部に対して立ち上がり部２５３の立ち上がり方向に沿った力が働く。そして、指紋センサ２３０がドームスイッチ２２０の方向へ移動する。指紋センサ２３０のドームスイッチ２２０の方向への移動に連動して、立ち上がり部２５３は、板状部２５４とともにドームスイッチ２２０の方向へ移動する。すると、面状部２５２の縁部には、固定点である面状部２５２の基端部を支点として矢印Ａ１の方向に回転する力が働く。これにより、面状部２５２は、立ち上がり部２５３の方向へ弾性的に撓む。さらに、面状部２５２が立ち上がり部２５３の方向へ弾性的に撓む場合に、突起部２５５が面状部２５２に当接する。突起部２５５が面状部２５２に当接することによって、面状部２５２の立ち上がり部２５３の方向への撓みが抑制される。面状部２５２の立ち上がり部２５３の方向への撓みが抑制されることによって、指紋センサ２３０の傾きが抑制される。このように、面状部２５２が立ち上がり部２５３の方向へ弾性的に撓むことで、押圧力Ｐ２に対応する反力が指紋センサ２３０からユーザの指に適度に働くので、指紋センサ２３０のクリック感が阻害されない。さらに、突起部２５５が面状部２５２に当接するので、指紋センサ２３０の位置とドームスイッチ２２０の位置との相対的なずれや、指紋センサ２３０の潜り込みが無くなり、押し子２４０によってドームスイッチ２２０が正常に押下される。
【００３９】
次に、図１０を参照して、指紋センサ２３０の縁がユーザの指で押圧されることによって指紋センサ２３０の縁に押圧力が加えられた場合の弾性カバー２５０の挙動を説明する。図１０は、指紋センサの縁がユーザの指で押圧されることによって指紋センサの縁に押圧力が加えられた場合の弾性カバーの挙動を示す図である。
【００４０】
図１０に示すように、指紋センサ２３０の縁がユーザの指で押圧されることによって指紋センサ２３０の縁に押圧力Ｐ３が加えられると、押圧力Ｐ３が加えられた位置に対応する位置において面状部２５２が立ち上がり部２５３の方向へ弾性的に撓む。このとき、突起部２５５が面状部２５２に当接する。突起部２５５が面状部２５２に当接することによって、面状部２５２の立ち上がり部２５３の方向への撓みが抑制される。ここで、突起部２５５の面状部２５２から最も離れた部分と、面状部２５２との距離が、ドームスイッチ２２０のスイッチストロークに等しいため、面状部２５２の立ち上がり部２５３の方向への撓みは、スイッチストロークが確保されるように抑制される。面状部２５２の立ち上がり部２５３の方向への撓みが抑制されることによって、指紋センサ２３０の矢印Ａ２の方向への傾きが抑制される。このため、指紋センサ２３０の位置とドームスイッチ２２０の位置との相対的なずれや、指紋センサ２３０の潜り込みが無くなり、押し子２４０によってドームスイッチ２２０が正常に押下される。
【００４１】
以上、本実施例のタブレット端末では、指紋センサ２３０のドームスイッチ２２０の方向への移動に連動して弾性カバー２５０の面状部２５２が立ち上がり部２５３の方向へ撓む場合に、立ち上がり部２５３からの突起部２５５が面状部２５２に当接する。このため、面状部２５２の立ち上がり部２５３の方向への撓みが抑制され、指紋センサ２３０の傾きが抑制され、指紋センサ２３０の位置とドームスイッチ２２０の位置との相対的なずれが無くなる。結果として、本実施例のタブレット端末によれば、指紋センサ２３０に対する押圧の位置に関わらずドームスイッチ２２０を正常に押下することができる。
【００４２】
また、本実施例のタブレット端末は、指紋センサ２３０の位置とドームスイッチ２２０の位置との相対的な位置を維持することができるので、指紋の読み取りの精度の低下を軽減することができる。
【符号の説明】
【００４３】
１００  タブレット端末
１１０  外側ケース
１３０  内側ケース
１３１  天板
１３２  外壁
１３３  内壁
１３４  隔壁
１３７  開口部
１３８  環状突起
１７０  スイッチアセンブリ
２１０  ホルダ
２２０  ドームスイッチ
２３０  指紋センサ
２４０  押し子
２５０  弾性カバー
２５１  筒状部
２５２  面状部
２５３  立ち上がり部
２５４  板状部
２５５  突起部
２５５ａ  第１の斜面
２５５ｂ  第２の斜面
【図１】
2016042415.tif 000005
【図２】
2016042415.tif 000006
【図３】
2016042415.tif 000007
【図４】
2016042415.tif 000008
【図５】
2016042415.tif 000009
【図６】
2016042415.tif 000010
【図７】
2016042415.tif 000011
【図８】
2016042415.tif 000012
【図９】
2016042415.tif 000013
【図１０】
2016042415.tif 000014